(57)【要約】【課題】  架設される電気設備に対して高所作業車のバケット内で作業する際に、電気設備が通電している状態においても使用することができる日除け器具を提供する。【解決手段】  高所作業車８のバケット８１内で作業する際に、日光が直射するのを抑制する日除け器具１において、絶縁性を有し且つ遮光可能な遮光部２と、遮光部２をバケット８１から離間させて支持すべく、先端部が遮光部２に接続され且つ基端部がバケット８１に固定される長尺な支持部３とを備えることを特徴とする。【選択図】  図１
2011109847.tif 000002
【特許請求の範囲】
【請求項１】
高所作業車のバケット内で作業する際に、日光が直射するのを抑制する日除け器具において、
絶縁性を有し且つ遮光可能な遮光部と、
遮光部をバケットから離間させて支持すべく、先端部が遮光部に接続され且つ基端部がバケットに固定される長尺な支持部とを備えることを特徴とする日除け器具。
【請求項２】
支持部は、端部同士が回転可能に接続される長尺なアーム部を複数備える請求項１に記載の日除け器具。
【請求項３】
遮光部は、バケット側から投射される光を拡散して反射させる反射面を備える請求項１又は２に記載の日除け器具。
【請求項４】
遮光部は、折り畳み可能とすべく、可撓性を有し且つ遮光可能なシート部と、無端状に形成され、シート部の周縁部に配置される弾性の枠部とを備える請求項１〜３の何れか１項に記載の日除け器具。
【請求項５】
シート部は、通気性を有すべく、網目状に形成される請求項４に記載の日除け器具。
【発明の詳細な説明】
【技術分野】
【０００１】
本発明は、高所作業車のバケット内で作業する際に、日光が直射するのを抑制する日除け器具に関する。
【背景技術】
【０００２】
従来、架設される電気設備に対してバケット内で作業する際に、日光が直射するのを抑制する日除け器具として、バケットに固定されるパイプ枠に、バケット全体を包むカバー体を装着させている日除け器具が知られている（例えば、特許文献１）。斯かる日除け器具によれば、作業空間を箱状に覆うことができるため、日光が直射するのを抑制するだけでなく、風雨が侵入するのも抑制できる。
【先行技術文献】
【特許文献】
【０００３】
【特許文献１】実用新案登録第３０５００９１号公報
【発明の概要】
【発明が解決しようとする課題】
【０００４】
ところで、特許文献１に係る日除け器具において、日光が直射するのを抑制するには、作業対象となる例えば架空線を日除け器具の内部に引き込んだ状態で作業する必要がある。したがって、架空線が停電している状態においては、問題なく作業することができるが、架空線が通電している状態においては、作業者と電線との距離が近すぎるため、作業者が感電する虞があり、その結果、使用することができない。
【０００５】
よって、本発明は、斯かる事情に鑑み、架設される電気設備に対して高所作業車のバケット内で作業する際に、電気設備が通電している状態においても使用することができる日除け器具を提供することを課題とする。
【課題を解決するための手段】
【０００６】
本発明に係る日除け器具は、高所作業車のバケット内で作業する際に、日光が直射するのを抑制する日除け器具において、絶縁性を有し且つ遮光可能な遮光部と、遮光部をバケットから離間させて支持すべく、先端部が遮光部に接続され且つ基端部がバケットに固定される長尺な支持部とを備えることを特徴とする。
【０００７】
本発明に係る日除け器具によれば、基端部でバケットに固定される長尺な支持部が、絶縁性を有し且つ遮光可能な遮光部を先端部で接続する。これにより、遮光部をバケットから離間させて支持できるため、作業対象となる電気設備とバケットとを離間させた状態で、日光が直射するのを抑制できる。
【０００８】
また、本発明に係る日除け器具においては、支持部は、端部同士が回転可能に接続される長尺なアーム部を複数備えてもよい。
【０００９】
斯かる構成の日除け器具によれば、複数の長尺なアーム部が、端部同士で回転可能に接続されている。これにより、各アーム部を個別に操作することで、支持部の先端部に接続される遮光部を、所望の位置で支持することができる。したがって、遮光部の配置をフレキシブルに対応することができる。
【００１０】
また、本発明に係る日除け器具においては、遮光部は、バケット側から投射される光を拡散して反射させる反射面を備えてもよい。
【００１１】
斯かる構成の日除け器具によれば、遮光部には、バケット側から投射される光を拡散して反射させる反射面が設けられる。これにより、昼間の作業においては、遮光部が日光を遮るため、日光が直射するのを抑制できる一方、夜間の作業においては、バケット側から光を投射すると、反射面が光を拡散して反射するため、作業対象となる電気設備を好適に照らすことができる。
【００１２】
また、本発明に係る日除け器具においては、遮光部は、折り畳み可能とすべく、可撓性を有し且つ遮光可能なシート部と、無端状に形成され、シート部の周縁部に配置される弾性の枠部とを備えてもよい。
【００１３】
斯かる構成の日除け器具によれば、遮光可能なシート部が可撓性を有すると共に、無端状に形成される弾性の枠部がシート部の周縁部に配置される。これにより、遮光部を折り畳むことができるため、使用していない際の大きさをコンパクトにすることができる。
【００１４】
また、本発明に係る日除け器具においては、シート部は、通気性を有すべく、網目状に形成されてもよい。
【００１５】
斯かる構成の日除け器具によれば、シート部は、網目状に形成されるため、通気性を有する。これにより、遮光部がバケットから離間して支持部で支持される際に、風から受ける力を低減させることができるため、風が吹いた際においても、遮光部を安定して支持することができる。
【発明の効果】
【００１６】
以上の如く、本発明に係る日除け器具によれば、遮光部をバケットから離間させて支持できるため、作業対象となる電気設備とバケットとを離間させた状態で、日光が直射するのを抑制でき、その結果、架設される電気設備に対して高所作業車のバケット内で作業する際に、電気設備が通電している状態においても使用することができるという優れた効果を奏する。
【図面の簡単な説明】
【００１７】
【図１】本発明の一実施形態に係る日除け具の全体図であって、昼間作業時を説明する斜視図を示す。
【図２】同実施形態に係る日除け具の全体図であって、夜間作業時を説明する斜視図を示す。
【図３】同実施形態に係る日除け具の要部概要図であって、（ａ）〜（ｄ）はそれぞれ遮光部の折り畳み方法を説明する図を示す。
【図４】同実施形態に係る日除け具の要部概要図であって、（ａ）は正面図、（ｂ）は斜視図を示す。
【図５】同実施形態に係る日除け具の要部概要図であって、（ａ）は正面図、（ｂ）はＪ−Ｊ線における断面図を示す。
【図６】本発明の他の実施形態に係る日除け具の要部概要図であって、（ａ）及び（ｂ）はそれぞれ遮光部の折り畳み方法を説明する図を示す。
【図７】本発明のさらに他の実施形態に係る日除け具の要部概要図であって、斜視図を示す。
【発明を実施するための形態】
【００１８】
以下、本発明に係る日除け器具における一実施形態について、図１〜図５を参酌して説明する。
【００１９】
本実施形態に係る日除け器具の各構成を説明するのに先立って、作業対象となる電気設備について説明する。図１及び図２に示すように、本実施形態においては、電柱７１に固定された腕金７２に架設される電線７３，…を、作業対象の電気設備７とし、また、高所作業車８のバケット８１内にいる作業者が、絶縁操作棒（絶縁ヤットコやストレーリンクトング等）を用いて、通電している電線７３に対して間接活線作業を行う場合とする。
【００２０】
図１〜図５に示すように、本実施形態に係る日除け器具１は、作業者が高所作業車８のバケット８１内で作業する際に、日光が直射するのを抑制するものである。具体的には、日除け器具１は、絶縁性を有し且つ遮光可能な遮光部２と、遮光部２をバケット８１から離間させて支持すべく、先端部が遮光部２に接続され且つ基端部がバケット８１に固定される長尺な支持部３とを備える。
【００２１】
遮光部２は、折り畳み可能とすべく、可撓性を有し且つ遮光可能なシート部２１と、無端状に形成され、シート部２１の周縁部に配置される弾性の枠部２２とを備える。また、遮光部２は、作業者が絶縁操作棒を介して操作するための操作部２３，２３を一対備える。なお、遮光部２は、矩形状に形成されている。
【００２２】
シート部２１は、一方側から照射する日光を遮光できる一方、他方側、即ち、バケット８１側から投射される光を拡散して反射させる反射面２１１を備える。また、シート部２１は、支持部３の先端部に接続される部位２１２が他の部位よりも剛性を有するように構成されている。
【００２３】
そして、シート部２１は、絶縁性を有すると共に、通気性を有すべく網目状に形成される。具体的には、シート部２１は、ナイロン等の合成樹脂製のシート材や布材で形成される。また、シート部２１は、作業対象の電気設備７との色識別を可能とすべく、作業対象の電気設備７と異なる色で形成される。本実施形態においては、作業対象が黒色の電線７３であるため、シート部２１は、例えば白色で形成される。
【００２４】
枠部２２は、絶縁性を有すると共に、シート部２１の周縁部の全周に亘って固定される。そして、枠部２２は、弾性を有し且つ環状に形成される。具体的には、枠部２２は、例えば、断面が長方形で且つ帯状に形成される弾性体が端部同士を連結されることにより、連続した環状に形成される。
【００２５】
各操作部２３は、絶縁性を有すると共に、絶縁操作棒の先端に掛止されるべく、環状に形成される。また、一対の操作部２３，２３は、矩形状の遮光部２における対辺にそれぞれ配置される。具体的には、一対の操作部２３，２３は、遮光部２が折り畳まれた際に、互いに重なり合うように配置される。なお、一対の操作部２３，２３は、面ファスナやスナップといった留め具等により、互いに係合して離反するのを防止可能に構成されている。
【００２６】
支持部３は、絶縁性を有し且つ長尺に形成される第１〜第４アーム部３１〜３４と、アーム部３１〜３４の端部同士を回転可能に接続させる第１〜第４接続部３５〜３８と、第１アーム部３１とバケット８１とを固定させる固定部３９とを備える。
【００２７】
具体的には、支持部３は、固定部３９を介して、基端部がバケット８１に固定される第１アーム部３１と、第１接続部３５を介して、基端部が第１アーム部３１の先端部に接続される第２アーム部３２と、第２接続部３６を介して、基端部が第２アーム部３２の先端部に接続される第３アーム部３３と、第３接続部３７を介して、基端部が第３アーム部３３に接続されると共に、第４接続部３８を介して、先端部が遮光部２に接続される第４アーム部３４とを備える。
【００２８】
第１アーム部３１は、基端側に配置され、固定部３９に固定される基端部材３１１と、先端側に配置され、第１接続部３５を介して第２アーム部３２に接続される先端部材３１２とを備える。そして、先端部材３１２は、基端部材３１１に対して、周方向（図４（ａ）のＤ矢印方向）で回転可能、即ち、長手方向を中心に回転可能となるように、基端部材３１１と接続されている。
【００２９】
第２アーム部３２は、第１アーム部３１に対して、長手方向と直交する方向を中心に（図４（ａ）のＥ矢印方向で）回転可能となるように、第１接続部３５を介して第１アーム部３１と接続される。例えば、第１接続部３５は、玉軸受やころ軸受といった転がり軸受としている。
【００３０】
第３アーム部３３は、第２アーム部３２に対して、長手方向と直交する方向を中心に（図４（ａ）のＦ矢印方向で）回転可能となるように、第２接続部３６を介して第２アーム部３２と接続される。例えば、第２接続部３６は、玉軸受やころ軸受といった転がり軸受としている。
【００３１】
第４アーム部３４は、第３アーム部３３に対して、長手方向と交差する方向を中心に（図４（ａ）のＧ矢印方向で）回転可能となるように、第３接続部３７を介して第３アーム部３３と接続される。なお、第４アーム部３４は、当該回転の中心の方向を自在に変更可能に構成されている。例えば、第３接続部３７は、球面滑り軸受や自在継手（ユニバーサルジョイント）としている。
【００３２】
また、第４接続部３８も、例えば球面滑り軸受や自在継手（ユニバーサルジョイント）としているため、遮光部２は、第４アーム部３４に対して、長手方向と交差する方向を中心に（図４（ａ）のＨ矢印方向で）回転可能で、且つ当該回転の中心の方向も自在に変更可能となるように、第４アーム部３４と接続されている。なお、各アーム部３１〜３４は、例えば一般的に軽量な合成樹脂（ＦＲＰ）で、円柱状や角柱状に形成されている。
【００３３】
固定部３９は、第１アーム部３１を固定するアーム固定部３９１と、バケット８１を固定するバケット固定部３９２とを備える。また、固定部３９は、アーム固定部３９１及びバケット固定部３９２がそれぞれ回転可能となるように、アーム固定部３９１とバケット固定部３９２とを連結する連結部３９３を備える。
【００３４】
アーム固定部３９１は、筒状に形成され、内部に第１アーム部３１を収容するアーム収容部３９１ａと、各ハンドル部３９１ｂが操作されることで、アーム収容部３９１ａの内方へ突出する量が変化するようにアーム収容部３９１ａと螺合する螺合部３９１ｃ，…とを備える。そして、アーム固定部３９１は、第１アーム部３１が位置ずれするのを防止すべく各螺合部３９１ｃの先端に弾性体（例えばゴム）３９１ｄ，…を備え、各弾性体３９１ｄが第１アーム部３１を押圧することで、第１アーム部３１を固定する。
【００３５】
バケット固定部３９２は、一対の板状体の間にバケット８１の側壁を収容するバケット収容部３９２ａと、各ハンドル部３９２ｂが操作されることで、バケット収容部３９２ａの内方へ突出する量が変化するようにバケット収容部３９２ａと螺合する螺合部３９２ｃ，…とを備える。そして、バケット固定部３９２は、バケット８１に対して位置ずれするのを防止すべく各螺合部３９２ｃの先端に弾性体（図示していない）３９２ｄ，…を備え、各弾性体３９２ｄがバケット８１を押圧することで、バケット８１に固定される。
【００３６】
連結部３９３は、アーム固定部３９１が所定方向（横方向）を中心に（図５（ａ）のＫ矢印方向で）回転可能となるように、アーム固定部３９１と連結される。また、連結部３９３は、バケット固定部３９２に対して、当該所定方向と直交する方向（上下方向）を中心に（図５（ａ）のＬ矢印方向で）回転可能となるように、バケット固定部３９２と連結される。
【００３７】
以上より、本実施形態に係る日除け器具１によれば、長尺な支持部３が遮光可能な遮光部２を先端部で接続するため、遮光部２をバケット８１から離間させて支持できる。これにより、図１に示すように、作業対象となる電線７３とバケット８１とを離間させた状態で、上方（図１のＡ矢印方向）から照射する日光が直射するのを遮光部２で抑制できる。したがって、バケット８１内で作業する際に、電気設備７が停電している状態は勿論のこと、電気設備７が通電している状態でも使用することができる。
【００３８】
また、本実施形態に係る日除け器具１によれば、第１〜第４アーム部３１〜３４がそれぞれ端部同士で回転可能に接続されているため、各アーム部３１〜３４を個別に操作することで、遮光部２を所望の位置で支持することができる。したがって、遮光部２の配置をフレキシブルに対応することができる。
【００３９】
また、本実施形態に係る日除け器具１によれば、バケット８１側から投射される光を拡散して反射させる反射面２１１が遮光部２に設けられているため、昼間の作業においては、図１に示すように、遮光部２が日光を遮るため、日光が直射するのを抑制できる一方、夜間の作業においては、図２に示すように、バケット８１に配置される光源９から遮光部２に向けて（図２のＢ矢印方向に）光を投射すると、反射面２１１が電線７３の方向（図２のＣ矢印方向）に光を拡散して反射するため、電線７３を好適に照らすことができる。
【００４０】
また、本実施形態に係る日除け器具１によれば、遮光可能なシート部２１が可撓性を有すると共に、無端状に形成される弾性の枠部２２がシート部２１の周縁部に固定されている。これにより、遮光部２を折り畳むことができるため、使用していない際の大きさをコンパクトにすることができる。
【００４１】
具体的には、図３（ａ）に示すような矩形状の遮光部２に対して、図３（ｂ）に示すように、遮光部２の側縁部を持って捻りながら、図３（ｃ）に示すように、側縁部同士を向かい合わせるように近づけた後、下に潜り込ませながら重ねると、図３（ｄ）に示すように、枠部２２の弾性力で、遮光部２を丸く重なった状態で折り畳むことができる。
【００４２】
また、本実施形態に係る日除け器具１によれば、シート部２１が網目状に形成されることで通気性を有する。これにより、遮光部２がバケット８１から離間して支持部３で支持される際に、風から受ける力を低減させることができるため、風が吹いた際においても、遮光部２を安定して支持することができる。
【００４３】
なお、本発明に係る日除け器具は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４４】
例えば、上記実施形態に係る日除け器具１においては、遮光部２は、可撓性を有するシート部２１と弾性を有する枠部２２とを備えることで、折り畳み可能に構成される場合を説明したが、斯かる場合に限られない。例えば、遮光部は、剛性を有する板状、具体的には、光の拡散効果を高めるべく白色アクリル板等で形成され、折り畳みできない場合でもよい。
【００４５】
また、遮光部が折り畳み可能な場合においても、遮光部は、剛性を有する板状の遮光部材がヒンジ部材を介して複数連結され、ヒンジ部材を介して折り畳み可能に構成される場合でもよく、さらに、図６に示すように、扇状に広がることができるように連結される複数の遮光部材２４，…が折り畳み可能に構成される場合でもよい。
【００４６】
図６に示す遮光部２０は、遮光可能で且つ剛性を有する板状の遮光部材２４，…を複数備え、各遮光部材２４の下端部を枢着部２５で枢着されている。斯かる構成の遮光部２０によれば、図６（ａ）に示すように、折り畳むことができる一方、図６（ｂ）に示すように、扇状に広げることができる。
【００４７】
また、遮光部２０は、隣接する遮光部材２４同士が所定以上離反するのを規制すべく、隣接する遮光部材２４，２４同士を紐状体で連結する規制手段２６，…を備える。さらに、遮光部２０は、折り畳められた際に、一番上に配置される遮光部材２４と一番下に配置される遮光部材２４とに、作業者が操作するための操作部２３，２３をそれぞれ備える。
【００４８】
また、上記実施形態に係る日除け器具１は、遮光部２が光を拡散して反射させる反射面２１１を備える場合を説明したが、斯かる場合に限られない。例えば、遮光部は、反射面２１１を備えていない場合でもよく、また、反射面ではなく、鏡面を備える場合でもよい。斯かる鏡面を備える遮光部によれば、バケット８１内から視認できない電気設備７の裏側の様子を視認することができる。
【００４９】
また、上記実施形態に係る日除け器具１は、支持部３が四つのアーム部３１〜３４を備える場合を説明したが、斯かる場合に限られない。例えば、支持部は、アーム部を一つ備える場合でもよく、また、アーム部を二つ、三つ又は五つ以上備える場合でもよい。
【００５０】
また、上記実施形態に係る日除け器具１は、支持部３が第１〜第４アーム部３１〜３４及び第１〜第４接続部３５〜３８により、遮光部２を所望の位置及び角度に配置する場合を説明したが、斯かる場合に限られない。例えば、支持部３は、少なくとも自由度２（好ましくは自由度５）を有する産業ロボットである場合でもよく、また、図７に示すように、少なくとも一つのアーム部３０１，３０２が伸縮可能に構成される場合でもよい。
【００５１】
図７に示す支持部３０は、横方向（図７のＮ矢印方向）に伸縮可能な第１アーム部３０１と、上下方向（図７のＰ矢印方向）に伸縮可能な第２アーム部３０２とを備える。そして、支持部３０は、第１アーム部３０１が上下方向を中心に（図７のＱ矢印方向で）回転できるように、第１アーム部３０１の基端部とバケット８１とを接続する第１接続部３０３を備える。
【００５２】
また、支持部３０は、第２アーム部３０２が第１アーム部３０１に対して上下方向を中心に（図７のＲ矢印方向で）回転できるように、第１アーム部３０１の先端部と第２アーム部の基端部とを接続する第２接続部３０４を備える。さらに、支持部３０は、遮光部２が横を中心に（図７のＳ矢印方向で）回転できるように、第２アーム部３０２の先端部と遮光部２とを接続する第３接続部３０５を備える。
【００５３】
第１アーム部３０１は、第１接続部３０３を介してバケット８１に接続される第１固定体３０１ａと、第１固定体３０１ａに対して横方向（水平方向）に変位可能な第１可動体３０１ｂとを備え、駆動手段（図示していない）等により、第１可動体３０１ｂを変位させることで伸縮可能に構成される。なお、第１アーム部３０１は、例えばギア機構（ラック・ピニオン機構）により、第１可動体３０１ｂを第１固定体３０１ａに対して変位させている。
【００５４】
第２アーム部３０２は、第２接続部３０４を介して第１可動体３０１ｂに接続される第２固定体３０２ａと、第２固定体３０２ａに対して上下方向（鉛直方向）に変位可能な第２可動体３０２ｂとを備え、駆動手段（図示していない）等により、第２可動体３０２ｂを変位させることで伸縮可能に構成される。なお、第２アーム部３０２は、例えばギア機構（ラック・ピニオン機構）により、第２可動体３０２ｂを第２固定体３０２ａに対して変位させている。
【００５５】
斯かる構成の支持部３０によれば、第１アーム部３０１の伸縮と、第２アーム部３０２の伸縮と、第１接続部３０３による第１アーム部３０１の回転とにより、直交座標系（ＸＹＺ軸座標系）での自由度３を有するため、遮光部２を所望の位置に配置することができ、さらに、第２接続部３０４による第２アーム部３０２の回転と、第３接続部３０５による遮光部２の回転とにより、自由度２も併せもつため、遮光部２（反射面２１１）の向き及び傾きを所望の位置に配置することができる。
【００５６】
なお、第１アーム部３０１の伸縮や回転、第２アーム部３０２の伸縮や回転、遮光部２の回転といった各自由度の操作をバケット８１内で実施（遠隔操作）可能とすべく、作業者が各動作を指示するための指示手段（図示していない）と、各動作の当該指示を制御する制御手段（図示していない）とが設けられている場合でもよい。
【００５７】
また、上記実施形態に係る日除け器具１においては、作業対象が架設される電線７３である場合を説明したが、斯かる場合に限られない。例えば、架設される電柱７１や腕金７２である場合でもよく、さらには、柱上変圧器や高圧カットアウト等の他の電気設備である場合でもよい。
【００５８】
また、本発明に係る日除け器具は、遮光部が支持部に着脱可能に構成される場合でもよい。斯かる構成によれば、用途の異なる遮光部を複数準備することで、作業環境に応じて遮光部を選択して取り付けることにより、作業環境に対してフレキシブルに対応することができる。
【符号の説明】
【００５９】
１…日除け器具、２…遮光部、３…支持部、２１…シート部、２２…枠部、３１…（第１）アーム部、３２…（第２）アーム部、３３…（第３）アーム部、３４…（第４）アーム部、２１１…反射面、８…高所作業車、８１…バケット
【図１】
2011109847.tif 000003
【図２】
2011109847.tif 000004
【図３】
2011109847.tif 000005
【図４】
2011109847.tif 000006
【図５】
2011109847.tif 000007
【図６】
2011109847.tif 000008
【図７】
2011109847.tif 000009